(57)【要約】  【課題】  建物のより広い範囲の安全性を考慮するとともに、免震エキスパンションのためのデッドスペースを小さくした中間層免震建物を提供する。  【解決手段】  中間免震建物１は、風除室Ｒ３、エントランスホールＲ４、エレベータシャフトＲ５、管理人室Ｒ６が、上部階から吊り下げ支持されている。風除室Ｒ３と玄関Ｒ１との間のアプローチＲ２には、相対変位吸収部（免震エキスパンション）が設けられている。この免震エキスパンションは、風除室Ｒ３と玄関Ｒ１の床が上下にオーバーラップするような簡単な構造であり、エントランスホールとエレベータシャフトとの間に免震エキスパンションを設ける場合に比べて、水平方向の干渉逃げスキマが不要となり、免震エキスパンションのためのデッドスペースが小さくなるという利点がある。【選択図】  図１
2008088780.tif 000002
【特許請求の範囲】
【請求項１】
上部階と下部階との間に免震装置が設けられた中間層免震建物であって、
エレベータシャフト、及び、エレベータに出入りするのに用いられ玄関につながるエントランスホールが、前記上部階から吊り下げ支持されており、
前記エントランスホールと玄関との間に相対変位吸収部（免震エキスパンション）が設けられていることを特徴とする中間層免震建物。
【請求項２】
前記免震エキスパンションが、前記エントランスホールの床及び玄関の床との間に、各々シーリング材を介して設けられ、
該免震エキスパンションの一方の端部が、前記エントランスホールの床又は玄関の床の一方に固定されるとともに、他方の端部が、他方の床に離脱可能に設けられ、
前記上部階と下部階とが相対変位した場合は、前記免震エキスパンションの離脱可能に設けられた端部が、該端部の横の床上に乗り上げることを特徴とする請求項１記載の中間層免震建物。
【請求項３】
管理人室も前記上部階から吊り下げ支持されていることを特徴とする請求項１又は２記載の中間層免震建物。
【請求項４】
駐車場、駐輪場、ゴミ置き場、盤室などが前記下部階に固定されていることを特徴とする請求項１〜３いずれか１項記載の中間層免震建物。
【発明の詳細な説明】
【技術分野】
【０００１】
本発明は、建物の上部階と下部階との間に免震装置を設けた中間層免震建物に関する。特には、建物のより広範囲の部分を免震化するとともに、免震エキスパンションのためのデッドスペースを小さくした中間層免震建物に関する。
【背景技術】
【０００２】
近年の免震建物においては、基礎と建物との間に免震装置を設けて、建物全体を免震化するタイプのものに加えて、地上レベルで上部階と下部階との間に免震装置を設けたタイプのもの（中間層免震建物）も採用されつつある。
【０００３】
このような中間層免震建物は、上下階にわたって架設される構造物（例えば、エレベータシャフトや階段室）については上部階から吊り下げ支持している。そして、上部階と下部階とでは地震時の揺れが異なるため、下部階の吊り下げ支持された部分の周囲に、上部階の横揺れによる変位を吸収するためのクリアランスを設けている。
【０００４】
つまり、下部階（例えば一階）において、吊り下げ構造物（エレベータシャフトや階段室）の周囲に、所定のクリアランス（３０〜４０ｃｍ）程度の空間が空けられている。そして、この吊り下げ構造物とその周囲の構造物（エントランスホールなど）との間には、伸縮自在な掛け渡し部（免震エキスパンション）を設けたり、一部を空間（クリアランス）を開けて上下に重なるように配置している（特許文献１、特許文献２参照）。特に、エレベータシャフトとエントランスホールとの間に免震エキスパンションを設ける場合は、高価な金物をシャフトの周囲に取り付ける必要があるため、価格アップとなる。また、クリアランスを設ける場合は、スペース上の無駄が生じる。
【０００５】
なお、中間層免震建物の下部階とは、マンションの場合、例えば、一階に当たる部分であり、エントランスや管理人室、ゴミ置き場、駐輪場や駐車場などを示す。このような下部階は、通常は、免震化されていないものや、基礎免震により免震化されている場合が多い。
【０００６】
【特許文献１】特開２００３−３４３０２０
【特許文献２】特開２００１−３４９０８９
【発明の開示】
【発明が解決しようとする課題】
【０００７】
本発明は、建物のより広い範囲の安全性を考慮するとともに、免震エキスパンションのためのデッドスペースを小さくした中間層免震建物を提供することを目的とする。
【課題を解決するための手段】
【０００８】
本発明の中間免震建物は、  上部階と下部階との間に免震装置が設けられた中間層免震建物であって、  エレベータシャフト、及び、エレベータに出入りするのに用いられ玄関につながるエントランスホールが、前記上部階から吊り下げ支持されており、  前記エントランスホールと玄関との間に相対変位吸収部（免震エキスパンション）が設けられていることを特徴とする。
【０００９】
本発明によれば、エントランスホールもエレベータシャフトや上部階とともに免震化でき、建物のより広い範囲の安全性を得られる。そして、エントランスホールと玄関との間に相対変位吸収部（免震エキスパンション）を設ける場合、両者の床が上下にオーバーラップするような簡単な構造で免震エキスパンションを構成できる。そのため、エントランスホールとエレベータシャフトとの間に免震エキスパンションを設ける場合に比べて、水平方向の干渉逃げスキマが不要となり、免震エキスパンションのためのデッドスペースが小さくなるという利点がある。
【００１０】
本発明においては、  前記免震エキスパンションが、前記エントランスホールの床及び玄関の床との間に、各々シーリング材を介して設けられ、  該免震エキスパンションの一方の端部が、前記エントランスホールの床又は玄関の床の一方に固定されるとともに、他方の端部が、他方の床に離脱可能に設けられ、  前記上部階と下部階とが相対変位した場合は、前記免震エキスパンションの離脱可能に設けられた端部が、該端部の横の床上に乗り上げることとできる。
【００１１】
本発明の免震エキスパンションによれば、通常時は、玄関とエントランスホールとの間は、滑らかに傾斜したスロープとなるので、バリアフリーに対応できる。そして、地震時に上部階と下部階とが相対変位すると、免震エキスパンションの離脱可能に設けられた端部が、この端部の横の床上に乗り上げて変位を吸収する。なお、玄関の床がエントランスホールの床よりも高い場合でも、その逆の、玄関の床がエントランスホールの床よりも低い場合でもよい。
【００１２】
本発明においては、  管理人室も前記上部階から吊り下げ支持されていることとできる。なお、管理人室に限らず、建物の計画に応じて任意の用途のスペースが吊り下げ支持されることもできる。
管理人室は通常、エントランスホール（風除室）に隣接して設けられている場合が多いので、エントランスホールを吊り下げ支持する作業と同時に、管理人室も吊り下げ支持すれば、作業の手間を大きく増やさずに管理人室も免震化できる。このように管理人室も同様に免震化できるので、建物のさらに広い範囲の安全性を確保できる。
【００１３】
本発明においては、  駐車場、駐輪場、ゴミ置き場、盤室などが前記下部階に固定されていることとできる。
【発明の効果】
【００１４】
以上の説明から明らかなように、本発明によれば、エントランスホールや管理人室も免震化するので、建物のより広い範囲の安全性を確保した中間層免震建物を提供できる。また、本発明においては、エレベータシャフトとエントランスホールとの間に免震エキスパンションを設けずに、エントランスホール（風除室）と玄関との間に、両者の床が上下にオーバーラップするような免震エキスパンションを設けたので、免震エキスパンションのためのデッドスペースが小さくなるという利点がある。
【発明を実施するための形態】
【００１５】
以下、本発明の実施の形態について、図面を参照しながら詳細に説明する。
図１は、本発明の実施の形態に係る中間層免震建物の一階を模式的に示す図であり、図１（Ａ）は平面図、図１（Ｂ）はＢ−Ｂ断面図である。
図２は、図１の建物の側面図である。
この建物１は、図１（Ａ）に示すような、平面形状が略長方形の１１階建てのマンションである（図２参照）。図１（Ａ）に示すように、１階には、玄関Ｒ１、アプローチＲ２、風除室Ｒ３、エントランスホールＲ４、エレベータシャフトＲ５、管理人室Ｒ６、ゴミ置き場Ｒ７、盤室Ｒ８、駐車場や駐輪場Ｒ９などが設けられており、２階から１１階までが居室となっている。
【００１６】
建物１の四隅と、長辺の中間には、建物１の構造物（主な柱）３が立設されている。これらの柱３は、地盤に打ち込まれた杭４の上に配置された基礎５上に立設されている。各柱３は、地中で建物１の長手方向及び短手方向に地中梁６で連結されている。また、地中梁６同士も一部で地中梁６で連結されている。
【００１７】
各柱３の１階の中間部分には、図２に示すように免震装置３０（詳細後述）が設けられており、この免震装置３０から上の構造物（上部階）が免震化されている（免震装置から下の構造物を下部階という）。詳しくは後述するが、１階のアプローチＲ２、風除室Ｒ３、エントランスホールＲ４、エレベータシャフトＲ５、管理人室Ｒ６（図１（Ａ）の斜線で示す部分）は、上部階に吊り下げ支持されている。なお、図１（Ａ）に示すように、平面で見ると、エントランスホールＲ４とエレベータシャフトＲ５は、柱３よりも外に張り出している。基礎５はこの張り出した部分にも設けられており、その周囲には擁壁７が設けられている。地震時には免震装置３０から上の上部階が下部階に対して水平方向にせり出す（相対移動する）。このため、張り出した基礎５は、エントランスホールＲ４とエレベータシャフトＲ５よりも広く取られており、擁壁７とエレベータシャフト５との間には、干渉回避のためのスキマが開けられている。
【００１８】
１階の下部階に相当する部分（玄関Ｒ１、盤室Ｒ８、駐車場や駐輪場Ｒ９、ゴミ置き場Ｒ７）では、地中梁６の上端面が、地面上に敷設された土間スラブ８で押えられて固定されている。一方、１階の上部階から吊り下げられた部分（アプローチＲ２、風除室Ｒ３、エントランスホールＲ４、エレベータシャフトＲ５、管理人室Ｒ６）では、下方に、地中梁６や擁壁７で囲まれた免震ピット１０が設けられている。
【００１９】
次に、免震装置３０の構造を説明する。
図３は、免震装置の構造を説明する図である。
この免震建物の場合、免震装置３０は、鉛プラグ入りの積層ゴム型のものが使用されている。このタイプの免震装置３０は、ゴム板３１と鋼板３２とを交互に積層して一体化した積層ゴム体３３を有し、同積層ゴム体３３の軸中心に円柱状の鉛プラグ３４が上下に貫通するように配置されている。積層ゴム体３３の周囲は被覆ゴム３５で覆われている。また、積層ゴム体３３の上下端面には、取り付け用のフランジ３６、３７が設けられている。鉛プラグ３４は上下端がキャップ３８、３９でフランジ３６、２７に固定されている。水平方向の力が加わると、同装置３０は該方向に変形し、この力が解除されると元の形に戻る。この際、鉛プラグ３４は変形して、地震エネルギーを吸収する減衰（ダンパー）作用を果たす。上フランジ３６は、柱３の上部階側の端面に固定され、下フランジ３７は柱３の下部階側の端面に固定される。
【００２０】
次に、１階の風除室Ｒ３、エントランスホールＲ４、エレベータシャフトＲ５、管理人室Ｒ６について説明する。
図４は、建物の一階の構造を示す正面断面図である。
図５は、図４の一部を拡大して示す図であり、図５（Ａ）はＡ部拡大図、図５（Ｂ）はＢ部拡大図である。
図６は、建物の一階の構造を説明するための側面断面図である。
図７は、図６の一部（スロープ状の免震エキスパンション部）を拡大して示す図である。
図８は、地震発生時の免震エキスパンションの動きを説明する図である。
図１や図４、図５にも示すように、アプローチＲ２、風除室Ｒ３、エントランスホールＲ４、エレベータシャフトＲ５、管理人室Ｒ６（図１（Ａ）の斜線で示す部分）の壁１１は、２階の床２２から垂下するように設けられており、これらの部屋の床スラブ１２は壁１１の下端からグラウンドレベルＧＬ上に水平に張り出すように設けられている。ただし、図１（Ｂ）に示すように、エレベータシャフトＲ５の床スラブ１２ａは、グラウンドレベルＧＬ下の免震ピット１０内に突出し、地下１３００ｍｍのレベル上に水平に設けられている。つまり、アプローチＲ２、風除室Ｒ３、エントランスホールＲ４、エレベータシャフトＲ５、管理人室Ｒ６は、上部階から吊り下げ支持されている。
【００２１】
図１（Ａ）に示すように、風除室Ｒ３、エントランスホールＲ４、管理人室Ｒ５の各壁１１と、柱３やゴミ置き場Ｒ７、盤室Ｒ８の各壁との間には、水平方向において所定のスキマが開けられている。そして、免震ピット１０内に突出したエレベータシャフトＲ５も、周囲の擁壁７との間に、水平方向において所定のスキマが開けられている。このようなスキマは、通常は犬走りや、相対変位吸収部材（免震エキスパンション）で塞がれている。
【００２２】
図５（Ａ）に拡大して示すように、風除室Ｒ２の床１２の下面と、土間スラブ８との間には、上下方向に、この例では５０ｍｍのクリアランス（免震スリット）Ｓが開けられている。なお、土間スラブ８の端面には、このクリアランスＳを塞ぐようにアルミニウム製のパンチングメタル１４が取り付けられている。このパンチングメタル１４は、クリアランスＳからのゴミなどの進入を防止するためのものである。なお、この部分は、人が通行する場合でも、通常の階段程度の段差となるため支障がない。
また、図５（Ｂ）に拡大して示すように、エントランスホールＲ４の床１２の下面と、梁６との間にも、上下方向に、この例では５０ｍｍのクリアランス（免震スリット）Ｓが開けられている。
【００２３】
図６に示すように、風除室Ｒ３の床１２と玄関Ｒ１の床８との間には、上下方向に所定のクリアランスが開けられているとともに、水平方向には相対変位吸収構造となっており、この部分がアプローチＲ２となっている。このアプローチＲ２には、風除室Ｒ３から玄関Ｒ１に向って下方に傾斜したスロープ（免震エキスパンション）４０が設けられている。この免震エキスパンション４０により、通常時は、玄関Ｒ１と風除室Ｒ３との間は、段差のない傾斜面となっている。
【００２４】
免震エキスパンション４０は、図７（Ａ）に示すように、表面に床タイルが貼られたプレート状の部材である。この免震エキスパンション４０は、風除室Ｒ３から玄関Ｒ１に向って斜め下方に張り出した床スラブ１２ｂと、玄関Ｒ１の床スラブ８との間に配置される。図７（Ｂ）に拡大して示すように、免震エキスパンション４０の風除室Ｒ３側の端部は、シーリング材４２を介して床スラブ１２ｂに当てられて、ルーズボルト４３で床スラブ１２ｂに緩く留められている。このルーズボルト４３により、この端部は上下方向に移動可能となっている。なお、符号４４で示す部材は、シーリング材４２のバックアップ材４４である。
【００２５】
図７（Ｃ）に示すように、免震エキスパンション４０の玄関Ｒ１側の端部は、シーリング材４２を介して玄関Ｒ１の床８に取り付けられている。同側の端面の下部４０ａは、斜めに切り欠かれている。一方、床８には、斜めの床見切８ａが設けられている。なお、このシーリング材４２は、免震エキスパンション４０の端面に固定されていない。
【００２６】
地震が発生して上部階と下部階との間に相対変位が生じると、例えば図８に示すように、上部階に固定された風除室Ｒ３の床１２ｂが、下部階の玄関Ｒ１に対して、図の矢印で示す水平方向に変位する。すると、免震エキスパンション４０の風除室側の端部はルーズボルト４３で固定されているので動かないが、玄関側の端部はシーリング材４２やバックアップ材４４から離れ、端面下部４０ａが床見切８ａに当たって上方に動き、玄関Ｒ１の床上に乗り上げる。この際、免震エキスパンション４０の風除室側端部は、ルーズボルト４３に対してやや上方に回動する。
【００２７】
このように、上部階である風除室Ｒ３の床と、下部階である玄関Ｒ１の床との間の上下方向のクリアランスを、スロープで接続することにより、通常時にもバリアフリーに対応できる。
【００２８】
図６に示すように、アプローチＲ２と風除室Ｒ３との間には、両開きのエントランス扉１３が設けられており、風除室Ｒ３とエントランスホールＲ４との間には、自動扉１４が設けられている。
【００２９】
このような構造により、地震時には、免震装置３０から上の上部階とともに、アプローチＲ２、風除室Ｒ３、エントランスホールＲ４、エレベータシャフトＲ５、管理人室Ｒ６が、同装置より下の下部階に対して水平方向に揺れる。この際、上下方向においては、アプローチＲ２、風除室Ｒ３、エントランスホールＲ４、エレベータシャフトＲ５、管理人室Ｒ６の床面は、下部階の土間スラブ８との間に免震スリットＳが設けられているため、土間スラブ８と干渉しない。また、水平方向においても、周囲の柱３や壁、擁壁７との間にスキマが設けられているため、これらに干渉しない。そして、風除室Ｒ３と玄関Ｒ１との間も、前述の免震エキスパンション４０により横揺れが吸収される。
【図面の簡単な説明】
【００３０】
【図１】本発明の実施の形態に係る中間層免震建物の一階を模式的に示す図であり、図１（Ａ）は平面図、図１（Ｂ）はＢ−Ｂ断面図である。
【図２】図１の建物の側面図である。
【図３】免震装置の構造を説明する図である。
【図４】建物の一階の構造を示す正面断面図である。
【図５】図４の一部を拡大して示す図であり、図５（Ａ）はＡ部拡大図、図５（Ｂ）はＢ部拡大図である。
【図６】建物の一階の構造を説明するための側面断面図である。
【図７】図６の一部（スロープ状の免震エキスパンション部）を拡大して示す図である。
【図８】地震発生時の免震エキスパンションの動きを説明する図である。
【符号の説明】
【００３１】
１  免震建物                          ３  柱
４  杭                                ５  基礎
６  地中梁                            ７  擁壁
８  土間スラブ                      １０  免震ピット
１１  壁                              １２、２２  床
１４  パンチングメタル
３０  免震装置                        ３１  ゴム板
３２  鋼板                            ３３  積層ゴム体
３４  鉛プラグ                        ３５  被覆ゴム
３６、３７  フランジ                  ３８、３９  キャップ
４０  免震エキスパンション            ４２  シーリング材
４３  ボルト                          ４４  バックアップ材
【図１】
2008088780.tif 000003
【図２】
2008088780.tif 000004
【図３】
2008088780.tif 000005
【図４】
2008088780.tif 000006
【図５】
2008088780.tif 000007
【図６】
2008088780.tif 000008
【図７】
2008088780.tif 000009
【図８】
2008088780.tif 000010
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
上部階と下部階との間に免震装置が設けられた中間層免震建物であって、
エレベータシャフト、及び、エレベータに出入りするのに用いられ玄関につながるエントランスホールを含む建物の１階部分が、前記上部階から吊り下げ支持されており、
前記エントランスホールと玄関との間に相対変位吸収部である免震エキスパンションが設けられており、
前記上部階から吊り下げ支持されている建物の１階部分の床と土間スラブ又は地中梁との間に上下方向のクリアランスが開けられていることを特徴とする中間層免震建物。
【請求項２】
前記免震装置が設けられている柱よりも、前記エントランスホール及び前記エレベータシャフトが外に張り出していることを特徴とする請求項１記載の中間層免震建物。
【請求項３】
上部階と下部階との間に免震装置が設けられた中間層免震建物であって、
エレベータシャフト、及び、エレベータに出入りするのに用いられ玄関につながるエントランスホールが、前記上部階から吊り下げ支持されており、
前記エントランスホールと玄関との間に相対変位吸収部である免震エキスパンションが設けられており、
前記免震装置が設けられている柱よりも、前記エントランスホール及び前記エレベータシャフトが外に張り出していることを特徴とする中間層免震建物。
【手続補正２】
【補正対象書類名】明細書
【補正対象項目名】０００８
【補正方法】変更
【補正の内容】
【０００８】
本発明の中間免震建物は、  上部階と下部階との間に免震装置が設けられた中間層免震建物であって、  エレベータシャフト、及び、エレベータに出入りするのに用いられ玄関につながるエントランスホールを含む建物の１階部分が、前記上部階から吊り下げ支持されており、  前記エントランスホールと玄関との間に相対変位吸収部である免震エキスパンションが設けられており、 前記上部階から吊り下げ支持されている建物の１階部分の床と土間スラブ又は地中梁との間に上下方向のクリアランスが開けられていることを特徴とする。